(57)【要約】      （修正有）【課題】放射効果のある電子カードおよび放熱モジュールの結合体を提供する。【解決手段】電子カードおよび放熱モジュールの結合体１０はコネクターに差し込まれ、電子カード１１、結合部材２１および扁形ヒートパイプ３１を備える。電子カードは上向きの接触面１６１と、カード本体１２の先端部に位置する辺縁当接部１８１、１８２を有する。結合部材は上部２２、上部に連結された二つの側辺部材２４および前側当接部２６を有する。上部は上方スロット２２１および抑制板２２２を有する。抑制板は両端にアーム２２３を別々に有する。二つのアームはそれぞれ外側かつ上へ延びて上部２２に連結される。二つの側辺部材２４はそれぞれ側辺スロット２４１を有する。前側当接部２６は上部２２から下へ延びて形成される。扁形ヒートパイプ３１は両側の相対する面が平坦である。【選択図】図２
0003230915.tif 000002
【実用新案登録請求の範囲】
【請求項１】
コネクターに差し込まれ、
電子カードと、
結合部材と、
扁形ヒートパイプと、を備え、
前記電子カードは、カード本体、差込部および熱発生部位を有し、前記差込部は前記カード本体の先端部から前方へ延び、複数の片状導電部を有し、前記熱発生部位は上向きの接触面を有し、前記カード本体は先端部に辺縁当接部を有し、前記辺縁当接部は前記差込部の先端部の後方に位置し、
前記結合部材は、上部、前記上部の両側に連結された二つの側辺部材および前側当接部を有し、前記上部は上方スロットおよび抑制板を有し、前記抑制板は前記上方スロットに対応し、両端にアームを有し、前記アームは外側かつ上へ延びて前記上部に連結され、二つの前記側辺部材はそれぞれ側辺スロットと、底部から相対的に延びて形成された位置決め部とを有し、前記前側当接部は前記上部または二つの前記側辺部材から前方へ延びて形成され、
前記結合部材はさらにストッパーを有し、前記ストッパーは前記電子カードの前記辺縁当接部を止め、
前記扁形ヒートパイプは両側の相対する面が平坦であり、
前記電子カード、前記結合部材および前記扁形ヒートパイプを相互に結合させたとき、前記結合部材は前記上部が前記電子カードの上方に位置し、二つの前記側辺部材が前記電子カードの両側に位置し、二つの前記側辺部材の前記位置決め部が前記電子カードの底部に位置し、前記扁形ヒートパイプは前記結合部材の二つの前記側辺部材の前記側辺スロットを貫通し、一部分のボディーが前記抑制板と前記電子カードの前記接触面との間に位置し、前記抑制板は二つの前記アームによって弾性力を生じ、前記扁形ヒートパイプを直接または間接的に押さえ、前記扁形ヒートパイプの平坦な表面を前記電子カードの前記接触面に密接させる制圧力を生じ、前記電子カードの前記差込部を前記コネクターに差し込んだとき前記結合部材の前記前側当接部が前記コネクターに当接することを特徴とする電子カードおよび放熱モジュールの結合体。
【請求項２】
さらに金属部材を備え、
前記金属部材は前記扁形ヒートパイプに配置され、かつ前記扁形ヒートパイプと前記抑制板との間に位置付けられ、前記抑制板は前記扁形ヒートパイプを間接的かつ弾性的に押さえることを特徴とする請求項１に記載の電子カードおよび放熱モジュールの結合体。
【請求項３】
さらに恒温プレートを備え、
前記恒温プレートは前記扁形ヒートパイプに連結されることを特徴とする請求項１に記載の電子カードおよび放熱モジュールの結合体。
【請求項４】
さらに熱伝導性パッドおよび恒温プレートを備え、
前記熱伝導性パッドは前記恒温プレートの表面に配置されることを特徴とする請求項１に記載の電子カードおよび放熱モジュールの結合体。
【請求項５】
二つの前記側辺部材の前記位置決め部は前端部に板状ストッパーを別々に有し、前記板状ストッパーは前記電子カードの前記辺縁当接部を止めることを特徴とする請求項１に記載の電子カードおよび放熱モジュールの結合体。
【請求項６】
前記前側当接部は前記結合部材の前記上部から下かつ前方へ延びて形成されるＬ字型の構造であり、
前記電子カードの前記差込部を前記コネクターに差し込んだとき、前記結合部材の前記前側当接部は先端部が前記コネクターに当接し、後端部が前記ストッパーになり、前記ストッパーは前記電子カードの前記辺縁当接部を止めることを特徴とする請求項１に記載の電子カードおよび放熱モジュールの結合体。
【請求項７】
二つの前記側辺部材は、それぞれ前側辺縁部から相対的に延びて形成された板状側面ストッパーを有し、前記板状側面ストッパーは前記電子カードの前記辺縁当接部を止めることを特徴とする請求項１に記載の電子カードおよび放熱モジュールの結合体。
【請求項８】
前記抑制板は両側にアームを別々に有することを特徴とする請求項１に記載の電子カードおよび放熱モジュールの結合体。
【請求項９】
前記結合部材の前記上部は、前記抑制板の両側の下方から前記抑制板に向かって延びている片状弾性抑制部を有することを特徴とする請求項８に記載の電子カードおよび放熱モジュールの結合体。
【請求項１０】
さらに熱伝導性部材を備え、
前記熱伝導性部材は前記扁形ヒートパイプと前記電子カードの前記接触面との間に配置され、
前記電子カードの前記接触面は二つ以上の高さが異なる小接触面を有し、
前記熱伝導性部材は底面に二つ以上の高さが異なる接触部位を有し、それぞれの前記接触部位は高さが前記小接触面に対応し、
前記熱伝導性部材は底部の二つ以上の前記接触部位によって前記電子カードの二つ以上の前記小接触面に接触することを特徴とする請求項１に記載の電子カードおよび放熱モジュールの結合体。
【考案の詳細な説明】
【技術分野】
【０００１】
本考案は電子カードの放熱技術に関し、詳しくはヒートパイプおよび電子カードを組み合わせて放熱効果を発揮する電子カードおよび放熱モジュールの結合体に関するものである。
【背景技術】
【０００２】
現今の電子カードの放熱技術において、特許文献１により掲示された「放熱装置を有する電子カードの構造」は、電子カードに放熱装置を配置する技術である。詳しく言えば、該案は電子カードの熱発生部材に放熱装置を配置し、放熱装置の金属板を熱発生部材に接触させ、金属板に配置された複数のヒートシンクによって放熱効果を発揮することである。
【先行技術文献】
【特許文献】
【０００３】
【特許文献１】台湾実用新案Ｍ２４２７７３号公報
【考案の概要】
【考案が解決しようとする課題】
【０００４】
特許文献１は構造が一つのパッケージであり、一側の開口部によって外部の空気を流入させてヒートシンクとの間で熱エネルギーを交換することができるが、放熱効率はあまりよくない。また、熱発生部材に生じた熱エネルギーを電子カードから拡散させる効果は限られる。従って、特許文献１は熱発生量の比較的低い電子部品にしか適用できない。つまり、比較的高い熱エネルギーを拡散させる放熱問題を解決できない。それに対し、熱発生部材に生じた熱エネルギーをヒートパイプによって外部へ拡散させれば上述した問題を効果的に解決できる。それを実現させる、即ちヒートパイプと電子カードとを結合させるという技術問題を解決することが本考案の課題となる。
【０００５】
本考案はヒートパイプと電子カードを効果的に結合させて高効率の放熱効果を生じる電子カードおよび放熱モジュールの結合体を提供することを主な目的とする。
【０００６】
本考案は、ヒートパイプと電子カードを結合させてそれらの構造を簡単化することによって、組立および製造のコスト低減を実現させる電子カードおよび放熱モジュールの結合体を提供することをもう一つの目的とする。
【課題を解決するための手段】
【０００７】
上述した課題を解決するため、電子カードおよび放熱モジュールの結合体はコネクターに差し込まれ、電子カード、結合部材および扁形ヒートパイプを備える。電子カードはカード本体、差込部および熱発生部位を有する。差込部はカード本体の先端部から前方へ延び、複数の片状導電部を有する。熱発生部位は上向きの接触面を有する。カード本体は先端部に辺縁当接部を有する。辺縁当接部は差込部の先端部の後方に位置する。結合部材は上部、上部の両側に連結された二つの側辺部材および前側当接部を有する。上部は上方スロットおよび抑制板を有する。抑制板は上方スロットに対応し、両端にアームを有する。アームは外側かつ上へ延びて上部に連結される。二つの側辺部材はそれぞれ側辺スロットと、底部から相対的に延びて形成された位置決め部とを有する。前側当接部は上部または二つの側辺部材から前方へ延びて形成される。結合部材はさらにストッパーを有する。ストッパーは電子カードの辺縁当接部を止める。扁形ヒートパイプは両側の相対する面が平坦である。電子カード、結合部材および扁形ヒートパイプを相互に結合させたとき、結合部材は上部が電子カードの上方に位置し、二つの側辺部材が電子カードの両側に位置し、二つの側辺部材の位置決め部が電子カードの底部に位置する。扁形ヒートパイプは結合部材の二つの側辺部材の側辺スロットを貫通し、一部分のボディーが抑制板と電子カードの接触面との間に位置する。抑制板は二つのアームによって弾性力を生じ、扁形ヒートパイプを直接または間接的に押さえ、扁形ヒートパイプの平坦な表面を電子カードの接触面に密接させる制圧力を生じる。電子カードの差込部をコネクターに差し込んだとき結合部材の前側当接部がコネクターに当接する。
【０００８】
詳しく言えば、本考案は結合部材によって扁形ヒートパイプと電子カードを効果的に結合させ、高効率の放熱効果を生じる。また本考案は結合部材の構造が簡単であり、組立および製造のコストが比較的低い。
【図面の簡単な説明】
【０００９】
【図１】本考案の第１実施形態による電子カードおよび放熱モジュールの結合体を示す斜視図である。
【図２】本考案の第１実施形態による電子カードおよび放熱モジュールの結合体を示す分解斜視図である。
【図３】本考案の第１実施形態による電子カードおよび放熱モジュールの結合体を示す正面図である。
【図４】本考案の第１実施形態による電子カードおよび放熱モジュールの結合体をコネクターに差し込んだ状態を示す斜視図である。
【図５】本考案の第１実施形態による電子カードおよび放熱モジュールの結合体をコネクターに差し込んだ状態を示す正面図である。
【図６】本考案の第１実施形態による電子カードおよび放熱モジュールの結合体において金属部材が取り外された状態を示す正面図である。
【図７】本考案の第１実施形態による電子カードおよび放熱モジュールの結合体に恒温プレートを増設した状態を示す斜視図である。
【図８】本考案の第１実施形態による電子カードおよび放熱モジュールの結合体において恒温プレートに熱伝導性パッドを増設した状態を示す斜視図である。
【図９】本考案の第１実施形態による電子カードおよび放熱モジュールの結合体において電子カードの辺縁当接部および結合部材のストッパーが相互に対応して当接する状態を示す斜視図である。
【図１０】本考案の第１実施形態による電子カードおよび放熱モジュールの結合体において電子カードの辺縁当接部および結合部材のストッパーが相互に対応して当接する状態を示す正面図である。
【図１１】本考案の第１実施形態による電子カードおよび放熱モジュールの結合体において結合部材のストッパーが結合部材の二つの側辺部材から延びている状態を示す斜視図である。
【図１２】本考案の第２実施形態による電子カードおよび放熱モジュールの結合体においての結合部材を示す斜視図である。
【図１３】本考案の第３実施形態による電子カードおよび放熱モジュールの結合体においての結合部材を示す斜視図である。
【図１４】本考案の第３実施形態による電子カードおよび放熱モジュールの結合体を示す分解斜視図である。
【考案を実施するための形態】
【００１０】
以下、本考案による電子カードおよび放熱モジュールの結合体を図面に基づいて説明する。
【００１１】
（第１実施形態）
図１から図５に示すように、本考案の第１実施形態による電子カードおよび放熱モジュールの結合体１０はコネクター９１に差し込まれ、電子カード１１、結合部材２１および扁形ヒートパイプ３１から構成される。
【００１２】
電子カード１１はカード本体１２、差込部１４および熱発生部位１６を有する。差込部１４はカード本体１２の先端部から前方へ延びている板状またはブロック状である。第１実施形態において、差込部１４は板状であり、複数の片状導電部１５を有する。複数の片状導電部１５はコネクター９１の内部の端子（図中未表示）に接続される。熱発生部位１６は図２中の破線で表示した熱発生部材を内蔵し、上向きの接触面１６１を有する。カード本体１２は先端部に辺縁当接部１８１を有する。辺縁当接部１８１は差込部１４の先端部の後方に位置する。第１実施形態において、電子カード１１の熱発生部位１６は熱発生部材に被さる金属製カバーである。金属製カバーは頂面が接触面１６１になり、前側辺縁部が辺縁当接部１８１になる。
【００１３】
結合部材２１は上部２２、上部２２の両側に連結された二つの側辺部材２４および前側当接部２６を有する。上部２２は上方スロット２２１および抑制板２２２を有する。抑制板２２２は上方スロット２２１に対応し、両端にアーム２２３を有する。アーム２２３は外側かつ上へ延びて上部２２に連結される。二つの側辺部材２４はそれぞれ側辺スロット２４１と、底部から相対的に延びて形成された位置決め部２４２とを有する。前側当接部２６は上部２２から下かつ前方へ延びて形成されるＬ字型の構造である。なお、前側当接部２６は二つの側辺部材２４から延びて形成されていてもよい。結合部材２１はさらにストッパー２８１を有する。ストッパー２８１は電子カード１１の辺縁当接部１８１を止める。
【００１４】
第１実施形態において、前側当接部２６は前端部がコネクター９１に当接し、後端部がストッパー２８１になる。
【００１５】
扁形ヒートパイプ３１は両側の相対する面が平坦である。
【００１６】
第１実施形態において、電子カードおよび放熱モジュールの結合体１０はさらに金属部材４１を備える。金属部材４１は扁形ヒートパイプ３１の上に配置される。
【００１７】
電子カード１１、結合部材２１および扁形ヒートパイプ３１を相互に結合させたとき、結合部材２１は上部２２が電子カード１１の上方に位置し、二つの側辺部材２４が電子カード１１の両側に位置し、二つの側辺部材２４の位置決め部２４２が電子カード１１の底部に位置する。結合部材２１の二つの側辺部材２４の位置決め部２４２は電子カード１１の底部に位置するため、電子カード１１に位置決め効果を果たし、電子カード１１を結合部材２１の下方から逸脱させないことを確保する。扁形ヒートパイプ３１は、金属部材４１とともに結合部材２１の二つの側辺部材２４の側辺スロット２４１を貫通し、一部分のボディーが抑制板２２２と電子カード１１の接触面１６１との間に位置する。抑制板２２２は、扁形ヒートパイプ３１および金属部材４１によって持ち上げられると同時に、二つのアーム２２３を変形させる。このとき二つのアーム２２３は弾性的な復元力を生じるため、抑制板２２２は金属部材４１を強制的に押さえ、金属部材４１を通して扁形ヒートパイプ３１を押さえることによって扁形ヒートパイプ３１の平坦な表面を電子カード１１の接触面１６１に密接させる制圧力を生じることができる。つまり、抑制板２２２は弾性力によって扁形ヒートパイプ３１を間接的に押さえる。電子カード１１の辺縁当接部１８１は、結合部材２１のストッパー２８１に当接する。
【００１８】
第１実施形態は二つの側辺部材２４の位置決め部２４２の前端部に、「板状ストッパー」としてのストッパー２８２を別々に増設し、かつ電子カード１１の前端の底部辺縁の一部分で別の一つのストッパー２８２に対応する辺縁当接部１８２を形成する。電子カード１１において、辺縁当接部１８１はストッパー２８１に対応し、辺縁当接部１８２はストッパー２８２に対応するため、電子カード１１を安定させる効果を発揮できる。第１実施形態は図１から図６に示すように辺縁当接部１８１およびストッパー２８１を相互に対応させ、辺縁当接部１８２およびストッパー２８２を相互に対応させる方式を採用する。しかし、これに限らず、図９および図１０に示すように、辺縁当接部１８１をストッパー２８１に当接させず、辺縁当接部１８２およびストッパー２８２を相互に当接させる方式を採用してもよい。
【００１９】
第１実施形態において、金属部材４１は扁形ヒートパイプ３１を保護し、抑制板２２２が扁形ヒートパイプ３１を直接圧迫することを避ける。そのため、抑制板２２２の抑制面積が小さ過ぎるか、押さえ部位が均等でないことが原因で扁形ヒートパイプ３１の一部分の表面を押さえる力が大き過ぎるという問題を排除し、扁形ヒートパイプ３１の一部分の表面を押さえる力が大き過ぎて扁形ヒートパイプ３１を変形させる可能性を大幅に低減することができる。
【００２０】
上述をまとめてみると、第１実施形態は結合部材２１によって電子カード１１の熱発生部位１６の接触面１６１に扁形ヒートパイプ３１を押さえ、扁形ヒートパイプ３１によって熱発生部位１６に生じた熱エネルギーを外部へ拡散させ、高効率の放熱効果を発揮する。結合部材２１の構造が簡単であるため、プレス工程および折り曲げ工程によって結合部材２１を一体成型することができる。また本考案は組立作業が極めて簡単であるため、組立および製造にかかるコストが比較的低い。
【００２１】
図４および図５に示すように、電子カード１１の差込部１４がコネクター９１に差し込まれたとき、結合部材２１の前側当接部２６はコネクター９１のボディーに当接する。電子カード１１は辺縁当接部１８１が結合部材２１のストッパー２８１に当接し、辺縁当接部１８２が結合部材２１のストッパー２８２に当接する。そのため、結合部材２１の前側当接部２６は動かず、電子カード１１の辺縁当接部１８１とコネクター９１のボディーとの間に挟まれる。つまり、電子カード１１をコネクター９１に差し込むと良好な安定状態を維持することができる。
【００２２】
図６に示すように、本考案は状況に応じて金属部材４１を配置するか否かを決めることができる。詳しく言えば、抑制板２２２の抑制面が比較的に平坦であり、十分な抑制面積を確保できる際、扁形ヒートパイプ３１の耐える圧迫力は均一であるため、金属部材４１を配置する必要がない。つまり、第１実施形態は金属部材４１を増設するが、これに限らない。金属部材４１がなければ、抑制板２２２は弾性力によって扁形ヒートパイプ３１を押さえる。
【００２３】
第１実施形態は図７に示すように扁形ヒートパイプ３１と恒温プレート５１を連結し、図８に示すように恒温プレート５１の表面に熱伝導性パッド６１（例えば放熱グリスから形成されるパッド）を増設することができる。熱伝導性パッド６１は別の放熱ユニット（例えばヒートシンク）に連結される。
【００２４】
図９および図１０は辺縁当接部１８１およびストッパー２８１を相互に当接させず、辺縁当接部１８２とストッパー２８２を相互に当接させる状態を示す。つまり、電子カード１１をストッパー２８２で止めればよい。ストッパー２８１で電子カード１１を止めることは必ずしも必要ではない。
【００２５】
図１１に示すように、ストッパー２８２は上述に限定されない。第１実施形態は二つの側辺部材２４の前側辺縁部を相対的に延ばして、「板状側面ストッパー」としてのストッパー２８３を形成することができる。ストッパー２８３はストッパー２８２の代わりになり、電子カード１１の辺縁当接部１８２を押さえる。
【００２６】
（第２実施形態）
図１２は本考案の第２実施形態による電子カードと放熱モジュールの結合体においての結合部材を示す斜視図である。第１実施形態との違いは下記のとおりである。
【００２７】
第２実施形態において、抑制板２２２’は両側に二つのアーム２２３’を別々に有する。
【００２８】
抑制板２２２の両側に一つのアーム２２３を別々に配置する第１実施形態に対し、抑制板２２２’は両側に二つのアーム２２３’を別々に有する。つまり、第２実施形態は抑制板２２２’のアーム２２３’の数が第１実施形態より多いため、抑制板２２２’の安定性を向上させることができる。
【００２９】
第２実施形態の別の構造および達成した効果は第１実施形態と同じであるため、詳細な説明を省略する。
【００３０】
（第３実施形態）
図１３は本考案の第３実施形態による電子カードと放熱モジュールの結合体においての結合部材を示す斜視図である。第２実施形態との違いは下記のとおりである。
【００３１】
第３実施形態において、結合部材の上部２２”は抑制板２２２”の両側の下方から抑制板２２２”に向かって延びている片状弾性抑制部２２５”を有する。二つの片状弾性抑制部２２５”はそれぞれ二つのアーム２２３”の間に位置する。
【００３２】
第３実施形態において、二つの片状弾性抑制部２２５”は弾性力によって金属部材４１（図１参照）または扁形ヒートパイプ３１（図１参照）を押さえて位置決め効果を発揮するため、制圧力を均一にすることができる。
【００３３】
第３実施形態の別の構造および達成した効果は第２実施形態と同じであるため、詳細な説明を省略する。
【００３４】
（第４実施形態）
図１４は本考案の第４実施形態による電子カードと放熱モジュールの結合体７０を示す分解斜視図である。第１実施形態との違いは下記のとおりである。
【００３５】
第４実施形態はさらに扁形ヒートパイプ７３および電子カード７１の接触面７２の間に熱伝導性部材７９を増設する。
【００３６】
第４実施形態において、電子カード７１の接触面７２は二つの高さが異なる小接触面７２１を有する。二つの高さが異なる小接触面７２１は、二つの高さが異なる電子部品の表面からなる。熱伝導性部材７９は、底面に二つの高さが異なる接触部位７９１を有する。それぞれの接触部位７９１は、高さが電子カード７１の小接触面７２１に対応する。熱伝導性部材７９は、底部の二つの接触部位７９１によって電子カード７１の二つの小接触面７２１に接触する。なお、接触面７２は三つ以上の高さが異なる小接触面７２１を有していてもよい。
【００３７】
第４実施形態において、熱伝導性部材７９は電子カード７１の二つの高さが異なる小接触面７２１に対応するように配置され、接触熱伝導効果および放熱効果を生じる。熱伝導性部材７９を配置する条件は、電子カード７１の電子部品の高さが異なり、かつ高さの異なる電子部品を保護できるカバーまたは金属製カバーを電子カード７１に使用しないことである。つまり、熱伝導性部材７９は上述した条件下で高さの異なる電子部品の表面に配置される。
【００３８】
第４実施形態の別の構造および達成した効果は第１実施形態と同じであるため、詳細な説明を省略する。
【符号の説明】
【００３９】
１０    電子カードと放熱モジュールの結合体、
１１    電子カード、
１２    カード本体、
１４    差込部、
１５    片状導電部、
１６    熱発生部位、
１６１    接触面、
１８１、１８２    辺縁当接部、
２１    結合部材、
２２、２２”    上部、
２２１    上方スロット、
２２２、２２２’、２２２”    抑制板、
２２３、２２３’、２２３”    アーム、
２２５”    片状弾性抑制部、
２４    側辺部材、
２４１    側辺スロット、
２４２    位置決め部、
２６    前側当接部、
２８１、２８２、２８３    ストッパー、
３１    扁形ヒートパイプ、
４１    金属部材、
５１    恒温プレート、
６１    熱伝導性パッド、
７０    電子カードと放熱モジュールの結合体、
７１    電子カード、
７２    接触面、
７２１    小接触面、
７３    扁形ヒートパイプ、
７９    熱伝導性部材、
７９１    接触部位、
９１    コネクター
【図１】
0003230915.tif 000003
【図２】
0003230915.tif 000004
【図３】
0003230915.tif 000005
【図４】
0003230915.tif 000006
【図５】
0003230915.tif 000007
【図６】
0003230915.tif 000008
【図７】
0003230915.tif 000009
【図８】
0003230915.tif 000010
【図９】
0003230915.tif 000011
【図１０】
0003230915.tif 000012
【図１１】
0003230915.tif 000013
【図１２】
0003230915.tif 000014
【図１３】
0003230915.tif 000015
【図１４】
0003230915.tif 000016